(57)【要約】  【課題】  電源線の無駄を無くして、配線ユニットの標準化・規格化を可能にすると共に、コンセントの追加変更にも、無駄なく対応できるようにした配線ユニットとそれを用いた配線構造を提供する。  【解決手段】  分電盤１まで達しない長さに設定された１本の電源線２と、照明器具３、照明用スイッチ４、コンセント５ａ，５ｂなどの器具へ配線するために必要な長さに設定された複数本の枝線６ａ，６ｂ，６ｃ，６ｄと、これらの電源線及び枝線を結線しモールド加工した接続部７とを備え、前記電源線２と分電盤１から配線される電源線８とをジョイントボックス９又はシーリングボックス１２を介して接続するように構成し、ジョイントボックス又はシーリングボックス内のコネクタ１０に予備枝線１１を接続可能に構成する。  【選択図】  図１
2005278313.tif 000002
【特許請求の範囲】
【請求項１】
分電盤まで達しない長さに設定された１本の電源線と、照明器具、照明用スイッチ、コンセントなどの器具へ配線するために必要な長さに設定された複数本の枝線と、これらの電源線及び枝線を結線しモールド加工した接続部とを備え、前記電源線と分電盤から配線される電源線とをジョイントボックスを介して接続するように構成し、ジョイントボックス内のコネクタに予備枝線を接続可能に構成してあることを特徴とする配線ユニット。
【請求項２】
分電盤まで達しない長さに設定された１本の電源線と、照明器具、照明用スイッチ、コンセントなどの器具へ配線するために必要な長さに設定された複数本の枝線と、これらの電源線及び枝線を結線しモールド加工した接続部とを備え、前記電源線と分電盤から配線される電源線とを照明器具取付け用シーリングプレートを固定支持するためのシーリングボックスを介して接続するように構成し、シーリングボックス内のコネクタに予備枝線を接続可能に構成してあることを特徴とする配線ユニット。
【請求項３】
請求項１に記載の配線ユニットを１住戸における複数の部屋に配線し、各配線ユニットの電源線と、住戸内の一箇所に設けた分電盤から配線された電源線とを、夫々、天井スラブに固定したジョイントボックスを介して接続してあることを特徴とする配線構造。
【請求項４】
請求項２に記載の配線ユニットを１住戸における複数の部屋に配線し、各配線ユニットの電源線と、住戸内の一箇所に設けた分電盤から配線された電源線とを、夫々、天井スラブに固定したシーリングボックスを介して接続してあることを特徴とする配線構造。
【発明の詳細な説明】
【技術分野】
【０００１】
本発明は、住宅内の電気配線を合理化する配線ユニット及び配線構造に関する。
【背景技術】
【０００２】
住宅を建設する上で、部材を工場生産して建設現場で組み立てるという手法は、個々の部材の品質向上や品質の均一化、あるいは建設現場における作業性の向上を図る上で重要な要素になっている。そして、住宅内の電気配線についても、ユニット化が推進される一方で、その配線構造や電気配線のユニット化について様々な提案がなされている。
【０００３】
例えば、図７は、マンション等の集合住宅の１住戸（住宅）を事例に電気配線をユニット化し、配線したものの一部である。この事例は、住戸内にある各室、例えば寝室となる洋室１，２や和室、リビング・ダイニング、台所、浴室・洗面所といった部屋の用途によって必要とされる一群のケーブルを一つの配線ユニットとして形成し、夫々の配線ユニットを住戸内にある分電盤１に接続するというものである。上図のとおり、洋室１、洋室２、和室について、夫々、接続部７からは、分電盤１に接続される電源線２の他に、照明器具３や照明用スイッチ４、コンセント５ａ，５ｂ等の器具に接続される枝線６ａ，６ｂ，６ｃ，６ｄが結線されており、これらが一つの配線ユニットとして構成されている。電源線２と枝線６ａ，６ｂ，６ｃ，６ｄを結線する接続部７は、結線部の絶縁性を高めるために、結線後に接続部７を樹脂等で固めるいわゆるモールド加工されるのが一般的である。
【０００４】
このように、配線がユニット化されることで、工場生産による品質確保と、建設現場での作業性の向上が可能である。
【０００５】
ところが、上図から分かるとおり、洋室１、洋室２、和室の各居室については、照明器具３や照明用スイッチ４、コンセント５ａ，５ｂなど接続器具の種類や数が同じでもあるにもかかわらず、電源線２や枝線６ａ，６ｂ，６ｃ，６ｄの配線長さが異なるため、夫々オーダーメイド的に電気配線ユニットが工場生産されているのが現状であり、そのため、工場生産においては、設計図面から配線の長さや本数の拾い出し、そのチェックそして単品生産となり、建設現場においては、工場から送られる加工図のチェックや製品確認など、管理上で多大の手間が掛かるという問題があった。
【０００６】
これらの問題の解決策の一つとして、特許文献１により、代表的かつ一般的な部屋の回路構成に対応するものを標準としてユニット化して製造するという提案がなされている。
【０００７】
しかしながら、上図の事例のような場合、洋室１、洋室２、和室のどの部屋を代表的かつ一般的な部屋とするかは難しい選択となる。例えば、接続部７から分電盤１までの距離が一番遠い和室に使用する配線ユニットを標準とすれば、洋室１、洋室２にも使用できなくはないが、洋室２と和室では、接続部７から分電盤１までの距離に略２倍に相当する違いがあり、洋室２では電源線２を大きく余すこととなり、標準化できるとはいっても無駄が生じやすい提案となっている。しかも、上記の提案では、コンセントを一つ追加したいという要望があった場合、標準の配線ユニットでは対応できず、新たに配線ユニットを生産しなければならないという問題がある。
【０００８】
これらの問題を解決できる技術として、特許文献２の配線ユニットが提案されている。この提案では、配線ユニットの電源線を約１ｍに限定し、足りない分は建設現場においてコネクタ接続などによって対応するようにしているので、電源線を余したりすることなく、洋室１、洋室２、和室の配線ユニットを標準化できる。また、各配線ユニットには、照
明器具や照明用スイッチ、コンセント等の器具に接続される枝線に加えて、予備端子を有する予備枝線を一つ設けているので、コンセントを追加したいなどの設計変更にも対応できる。
【０００９】
但し、この提案では、電源線における無駄が解消されたものの、配線ユニットに、コンセントの追加変更に対応するための予備枝線を設けたことにより、コンセントの追加変更がない場合、新たな無駄（予備枝線とそれを天井裏などに這わせる配線作業）が生じてしまうという問題がある。
【００１０】
【特許文献１】特開平１０−５６７２３号公報
【特許文献２】特開平９−５５１２２号公報
【発明の開示】
【発明が解決しようとする課題】
【００１１】
本発明は、上記の問題点を踏まえてなされたもので、その目的とするところは、電源線の無駄を無くして、配線ユニットの標準化・規格化を可能にすると共に、コンセントの追加変更にも、無駄なく対応できるようにした配線ユニットとそれを用いた配線構造を提供することにある。
【課題を解決するための手段】
【００１２】
上記の目的を達成するために、本発明が講じた技術的手段は、次の通りである。即ち、請求項１に記載の発明による配線ユニットは、分電盤まで達しない長さに設定された１本の電源線と、照明器具、照明用スイッチ、コンセントなどの器具へ配線するために必要な長さに設定された複数本の枝線と、これらの電源線及び枝線を結線しモールド加工した接続部とを備え、前記電源線と分電盤から配線される電源線とをジョイントボックスを介して接続するように構成し、ジョイントボックス内のコネクタに予備枝線を接続可能に構成してあることを特徴としている。
【００１３】
請求項２に記載の発明による配線ユニットは、分電盤まで達しない長さに設定された１本の電源線と、照明器具、照明用スイッチ、コンセントなどの器具へ配線するために必要な長さに設定された複数本の枝線と、これらの電源線及び枝線を結線しモールド加工した接続部とを備え、前記電源線と分電盤から配線される電源線とを照明器具取付け用シーリングプレートを固定支持するためのシーリングボックスを介して接続するように構成し、シーリングボックス内のコネクタに予備枝線を接続可能に構成してあることを特徴としている。
【００１４】
請求項３に記載の発明による配線構造は、請求項１に記載の配線ユニットを１住戸における複数の部屋に配線し、各配線ユニットの電源線と、住戸内の一箇所に設けた分電盤から配線された電源線とを、夫々、天井スラブに固定したジョイントボックスを介して接続してあることを特徴としている。
【００１５】
請求項４に記載の発明による配線構造は、請求項２に記載の配線ユニットを１住戸における複数の部屋に配線し、各配線ユニットの電源線と、住戸内の一箇所に設けた分電盤から配線された電源線とを、夫々、天井スラブに固定したシーリングボックスを介して接続してあることを特徴としている。
【発明の効果】
【００１６】
請求項１に記載の発明に係る配線ユニットによれば、各部屋の用途にかかわらず部屋の広さが略同じで、接続される器具の種類、個数が同じであれば、標準化・規格化が可能である。即ち、マンション等の集合住宅の１住戸（住宅）においては、一般的に、図７でも
示したとおり、洋室１、洋室２、和室の何れにおいても、各部屋に設けられる器具の種類（照明器具、照明用スイッチ、コンセント）や個数は同じであるから、枝線に関しては、器具までの必要とする配線長さが若干異なるものの、僅かな余長を配慮して標準化・規格化することが可能であり、電源線に関しては、ジョイントボックスを介して分電盤から配線される電源線と接続するようにしたので、分電盤までの距離に関係なく統一した長さに設定でき、これらによって、各部屋の用途にかかわらず部屋の広さが略同じで、接続される器具の種類、個数が同じであれば、標準化・規格化が可能である。
【００１７】
また、照明器具やコンセントなどの器具の追加変更がある部屋については、ジョイントボックス内のコネクタに予備枝線を接続して対応することができ、器具の追加変更がない部屋にも予備枝線を設けるといった無駄を無くすことができ、配線ユニットの標準化・規格化を経済的に達成できる。
【００１８】
請求項２に記載の発明に係る配線ユニットによれば、枝線に関しては、器具までの配線長さが若干異なるものの、僅かな余長を配慮して標準化・規格化することが可能であり、電源線に関しては、照明器具取付け用シーリングプレートを固定支持するためのシーリングボックスを介して分電盤から配線される電源線と接続するようにしたので、分電盤までの距離に関係なく統一した長さに設定でき、これらによって、各部屋の用途にかかわらず部屋の広さが略同じで、接続される器具の種類、個数が同じであれば、標準化・規格化が可能であり、しかも、照明器具の取付けに付随するシーリングボックスを介して電源線の接続を行うので、ジョイントボックスを用いない分、施工コストを低減できる。
【００１９】
また、照明器具やコンセントなどの器具の追加変更がある部屋については、シーリングボックス内のコネクタに予備枝線を接続して対応することができ、器具の追加変更がない部屋にも予備枝線を設けるといった無駄を無くすことができ、ジョイントボックスを用いないことと相俟って配線ユニットの標準化・規格化をより一層経済的に達成できる。
【００２０】
請求項３に記載の発明によれば、請求項１に記載の配線ユニットを１住戸における複数の部屋に配線し、各配線ユニットの電源線と、住戸内の一箇所に設けた分電盤から配線された電源線とを、夫々、天井スラブに固定したジョイントボックスを介して接続するので、住戸内の電気配線工事の効率化が可能であり、照明器具やコンセントなどの器具の追加変更も容易である。
【００２１】
請求項４に記載の発明によれば、請求項２に記載の配線ユニットを１住戸における複数の部屋に配線し、各配線ユニットの電源線と、住戸内の一箇所に設けた分電盤から配線された電源線とを、夫々、天井スラブに固定したシーリングボックスを介して接続するので、住戸内の電気配線工事の効率化が可能であり、照明器具やコンセントなどの器具の追加変更も容易である。
【発明を実施するための最良の形態】
【００２２】
図１は本発明に係る配線ユニットとそれを使用した配線構造が適用された集合住宅における１住戸の平面図、図２は天井裏における要部の縦断側面図である。図１において、１は住戸内の一箇所に設置された分電盤、Ｕは配線ユニットである。
【００２３】
前記配線ユニットＵは、分電盤１まで達しない長さに設定された１本の電源線２と、照明器具３、照明用スイッチ４、コンセント５ａ，５ｂなどの器具へ配線するために必要な長さに設定された複数本の枝線６ａ，６ｂ，６ｃ，６ｄと、これらの電源線１及び枝線６ａ，６ｂ，６ｃ，６ｄを結線しモールド加工した接続部７とを備え、前記電源線２と分電盤１から配線される電源線８とをジョイントボックス９を介して接続するように構成してある。そして、照明器具やコンセント５ｃなどの器具を追加変更したい場合は、ジョイン
トボックス９内のコネクタ（図２における１０）に予備枝線１１を接続可能に構成してある。
【００２４】
図１において、１２は、照明器具取付け用シーリングプレートを固定支持するためのシーリングボックスである。図２において、１３は天井スラブ、１４は天井板である。前記ジョイントボックス９は、天井スラブ１３のインサート金物１５にねじ込む等の手段により天井スラブ１３に固定された本体部９ａと開閉可能な蓋体部９ｂとからなり、本体部９ａの側面には配線用の孔９ｃが形成されている。
【００２５】
分電盤１側の電源線８、配線ユニットＵ側の電源線２、枝線６ａ，６ｂ，６ｃ，６ｄ、予備枝線１１としては、何れも１００Ｖライン、０Ｖライン、アースラインの３線を内蔵するケーブルが使用されている。分電盤１から配線された電源線８と配線ユニットＵ側の電源線２を接続するコネクタ１０として、図２に示した例では、６穴タイプのコネクタが使用されているため、未使用な４個の穴に対応して４本の予備枝線１１を追加接続可能である。
【００２６】
上記の配線ユニットＵは、洋室１、洋室２、和室の何れにも使用できるように標準化・規格化されたものである。即ち、洋室１、洋室２、和室の何れにおいても、各部屋に設けられる器具の種類（照明器具３、照明用スイッチ４、コンセント５ａ，５ｂ）や個数は同じであるから、器具までの必要とする配線長さが部屋によって若干異なるが、枝線６ａ，６ｂ，６ｃ，６ｄに僅かな余長を付与することで、標準化・規格化された配線ユニットＵを各部屋の用途にかかわらず使用することができるのである。
【００２７】
電源線に関しては、ジョイントボックス９を介して分電盤１から配線される電源線８と接続するようにしたので、分電盤１までの距離に関係なく統一した長さに設定でき、分電盤１の位置に左右されない。
【００２８】
また、照明器具やコンセント５ｃなどの器具の追加変更がある部屋については、ジョイントボックス９内のコネクタ１０に予備枝線（図２に仮想線で示す）１１を接続して対応することができ、器具の追加変更がない部屋にも予備枝線を設けるといった無駄を無くすことができ、配線ユニットＵの標準化・規格化を経済的に達成できる。
【００２９】
図３、図４は、本発明の他の実施形態を示す。この配線ユニットＵは、分電盤１まで達しない長さに設定された１本の電源線２と、照明器具３、照明用スイッチ４、コンセント５ａ，５ｂなどの器具へ配線するために必要な長さに設定された複数本の枝線６ａ，６ｂ，６ｃ，６ｄと、これらの電源線２及び枝線６ａ，６ｂ，６ｃ，６ｄを結線しモールド加工した接続部７とを備え、前記電源線２と分電盤１から配線される電源線８とを照明器具取付け用シーリングプレート１６を固定支持するためのシーリングボックス１２を介して接続するように構成してある。そして、照明器具やコンセント５ｃなどの器具を追加変更したい場合は、シーリングボックス１２内のコネクタ１０に予備枝線１１を接続可能に構成してある。
【００３０】
シーリングプレート１６は、天井板１４を挟持固定する上下一対の金具と端子ボックスとで構成され、照明器具３の取付け部をシーリングプレート１６に形成された円弧状の長孔に下方から挿入して縦軸芯周りに回転させることによって、照明器具３が端子ボックス内の接点と通電可能な接触状態に取り付けられるようになっている。シーリングボックス１２は、天井板１４だけでは照明器具３の支持に不安があるため、図４に示すように、天井スラブ１３のインサート金物１５にねじ込む等の手段により天井スラブ１３に固定した状態で、シーリングプレート１６と連結するように構成したもので、側面には配線用の孔１２ａが形成されている。
【００３１】
この構成によれば、照明器具３の取付けに付随するシーリングボックス１２を介して電源線２，８の接続を行うので、前述したジョイントボックス９を用いない分、施工コストを低減できる。
【００３２】
照明器具やコンセント５ｃなどの器具の追加変更がある部屋については、シーリングボックス１２内のコネクタ１０に予備枝線１１を接続して対応することができ、器具の追加変更がない部屋にも予備枝線を設けるといった無駄を無くすことができ、ジョイントボックス９を用いないことと相俟って配線ユニットＵの標準化・規格化をより一層経済的に達成できる。その他の構成、作用は、図１、図２の実施形態と同じである。
【００３３】
以上、洋室と和室の関係を例に説明したが、この発明は単に１住戸内の部屋の配線ユニットに係わらず、他の住戸との関係において、部屋に設けられる電気器具の種類と数が同じで、ほぼ同じ広さの部屋であれば共通してユニット化が可能である。
【００３４】
例えば、集合住宅などにおいては、各住戸でキッチンの配置は異なるが、設けられる電気器具の種類は同じであり、キッチンの広さもほぼ同じであるから、どの住戸であるかにかかわりなく、また住戸内におけるキッチンの位置にかかわりなく共通化が可能である。
【００３５】
また、キッチンなどにオプションで標準とは異なる機器が設置されることになっても、オプションが選択された住戸毎に予備配線１１をコネクタ１０に接続すればよいので、新たな配線ユニットを製作する必要がない。
【００３６】
特に、最近の分譲集合住宅では、フリープラン対応などで間取りの変更を受け付けたりする場合があるが、分譲集合住宅は建物の竣工日が決まっているために、竣工日から逆算して何日までには間取りを決定しなければ配線ユニットの製造が間に合わないといった問題があり、その日にちを過ぎると、フリープラン対応と言いながら間取り変更ができなくなるために、購入予定者から不満が呈される場合がある。
【００３７】
しかしながら、本発明によれば、配線ユニットと分電盤の間は現場合せで配線するので、部屋の位置の変更は、配線ユニットの製造に影響しないし、電気器具が追加されても予備配線の追加が可能なので、キッチンに限らず、部屋の広さの単位に合せて見込み生産が可能であり、フリープラン対応期間の制限を大幅に改善できる効果もある。
【００３８】
また、図１〜図４で示した各実施形態によれば、図６に示すように、必要とされる配線ユニットに記号（例えば、Ｂ−１）を付して、その系統図と夫々の枝線の種類と長さを規定することで、生産工場では、配線ユニットの製品番号化が可能である。
【００３９】
尚、記号化は、枝線の本数や接続する器具の違い、線の長さの違いで区別されるが、イレギュラーなものについては、ジョイントボックス９又はシーリングボックス１２を介して追加配線されるので、配線ユニット数は相当に軽減でき、大量量産によるコストダウンが可能である。
【００４０】
また、設計図においても、接続器具と部屋の広さが同じであれば（この場合、例えば６．５帖〜７．５帖までは同じと見なすなどの定義付けを行う。）、それに対応する配線ユニットの記号を付すことにより、配線図を必要としなくなるので、設計図作成作業を軽減でき、工場においても、必要な配線ユニットの拾い出しが簡略化され、建設現場でも、工場が作成する加工図のチェック作業を軽減できることになる。追加の配線がある場合には、図６に示すように、設計図に追加配線（予備配線）１１のみを記載すればよい。
【００４１】
尚、図６に示す配線図は、和室の場合、図１１に示す配線を、洋室の場合、図３に示す配線をそれぞれ簡略化したときを示す。
【図面の簡単な説明】
【００４２】
【図１】本発明の実施形態を例示する平面図である。
【図２】要部の縦断側面図である。
【図３】本発明の他の実施形態を示す平面図である。
【図４】要部の縦断側面図である。
【図５】配線ユニットの系統図である。
【図６】図５の配線ユニットを用いて電気配線を行うための設計図である。
【図７】従来例を示す平面図である。
【符号の説明】
【００４３】
Ｕ  配線ユニット
１  分電盤
２  電源線
３  照明器具
４  照明用スイッチ
５ａ，５ｂ  コンセント
６ａ，６ｂ，６ｃ，６ｄ  枝線
９  ジョイントボックス
１０  コネクタ
１１  予備枝線・追加配線
１２  シーリングボックス
【図１】
2005278313.tif 000003
【図２】
2005278313.tif 000004
【図３】
2005278313.tif 000005
【図４】
2005278313.tif 000006
【図５】
2005278313.tif 000007
【図６】
2005278313.tif 000008
【図７】
2005278313.tif 000009